(57)【特許請求の範囲】
【請求項１】
Ｘ線発生装置において、
拡散したＸ線照射を出力するＸ線照射のマイクロフォーカス源と、
前記マイクロフォーカス源からのＸ線照射を受け入れる入力と、平行、又は収束するＸ線ビームを出力するための出力とを有しており、該マイクロフォーカス源により発したＸ線照射を取り込む導波路束光学系と、
前記導波路束光学系から焦点に前記Ｘ線ビームを集束するための回折反射面を有する多層光学系と
を備えるＸ線発生装置。
【請求項２】
前記導波路束光学系はポリキャピラリ光学系である請求項１のＸ線発生装置。
【請求項３】
前記導波路束光学系はカーボンナノチューブである請求項１のＸ線発生装置。
【請求項４】
前記多層光学系は、多層ブラッグＸ線反射面を有するカークパトリック・バエズ並列光学系である請求項１のＸ線発生装置。
【請求項５】
前記カークパトリック・バエズ並列光学系は２つの楕円反射体を有する請求項４のＸ線発生装置。
【請求項６】
前記カークパトリック・バエズ並列光学系は２つの放物面反射体を有する請求項４のＸ線発生装置。
【請求項７】
前記カークパトリック・バエズ並列光学系は２つの双曲線反射体を有する請求項４のＸ線発生装置。
【請求項８】
前記多層ブラッグＸ線反射面は勾配型格子面間隔を有する請求項４のＸ線発生装置。
【請求項９】
前記勾配型格子面間隔は横方向の勾配である請求項８のＸ線発生装置。
【請求項１０】
前記勾配型格子面間隔は、横方向の勾配と深さ方向の勾配の両方である請求項８のＸ線発生装置。
【請求項１１】
前記多層光学系は、多層ブラッグＸ線反射面を有する二重湾曲光学系である請求項１のＸ線発生装置。
【請求項１２】
前記二重湾曲光学系は楕円面を有する請求項１１のＸ線発生装置。
【請求項１３】
前記二重湾曲光学系は放物面を有する請求項１１のＸ線発生装置。
【請求項１４】
前記二重湾曲光学系は双曲面を有する請求項１１のＸ線発生装置。
【請求項１５】
前記多層ブラッグＸ線反射面は勾配型格子面間隔を有する請求項１１のＸ線発生装置。
【請求項１６】
前記勾配型格子面間隔は横方向の勾配である、請求項１５のＸ線発生装置。
【請求項１７】
前記勾配型格子面間隔は横方向の勾配と深さ方向の勾配の両方である、請求項１５のＸ線発生装置。
【請求項１８】
前記Ｘ線照射の未使用部分を取り除くための開口を更に備え、
該開口は、前記多層光学系と前記焦点との間に位置している請求項１のＸ線発生装置。
【発明の詳細な説明】
【背景技術】
【０００１】
本発明は、Ｘ線回折法、Ｘ線分光、又は、他のＸ線分析用途を含む分析計のための、Ｘ線照射を発生して集束する装置に関する。
【０００２】
分析的又は測定学用途のためにＸ線照射が対象上へ導くための多数の分析計と手順がある。この種の分析計の例は、Ｘ線散乱とＸ線回折のようなＸ線干渉性散乱の原理に基づくものを含み、Ｘ線分光学とＸ線元素マッピング顕微鏡法のようなＸ線蛍光分析の原理に基づいている。多くの同様の用途において、制御ビーム特性を有するＸ線の強いビームを対象に相互作用で導く必要がある。これらの特性は、空間定義（発散、ビームサイズ、焦点サイズと異なる場所への強度照射）、スペクトル純度及び強度を含む。しかしながら、これらの特性パラメータは、それぞれに最大限に利用される可能性はない。改善は、他の値で到達することがしばしばある。Ｘ線は、本質的に導くのが困難である。異なる技術は、Ｘ線ビーム形式に適用されるビームを有している。これらは全反射する反射体を含み、光学系は、超小型サイズの導波路、天然結晶、及び、多層光学系と呼ばれる人工階層構造の束でできているキャピラリ及びポリキャピラリのような全反射原理に基づくものである。場合によっては、比較的広い範囲以上のエネルギー・スペクトルを有する多色放射が要求されることがある。他の用途において、高度な単色放射が要求される。光学系は、受入可能な費用を維持しながらビーム必要条件に適合するために選択された技術によって作られる。
【０００３】
優れた性能を有するＸ線ビームは、多様なビーム調整光学系とマイクロフォーカス源と共に開発されている。これらのマイクロフォーカス源の代表的な焦点投影は、１００マイクロメートル未満で、１０マイクロメートルと同程度小さい。源技術と光学系技術の将来の開発は、より高い輝度とより小さい焦点サイズに動きがあるであろう。焦点サイズと焦点位置との安定は、分析的用途におけるＸ線ビームのために重大である。優れた性能に加えて、エネルギーをほとんど使わないマイクロフォーカス源は、運転費用がより安く、そして、環境問題がより少ないものである。密封管マイクロフォーカス源は、良い性能を提供するだけでなく、良い性能対コスト比率をも提供する。ビームシステムに基づくマイクロフォーカス源における代表的な光学系は、多層光学系、結晶光学系、全反射ミラー、単一キャピラリ光学系及びポリキャピラリ光学系を含む。光学系は、一次元光学系（１Ｄ光学系）と呼ばれる、一つの方向だけにＸ線を移行するように設計され、又は、二次元光学系（２Ｄ光学系）と呼ばれる、単一の相互作用、２つの相互作用、又は、多重相互作用を通じて、或いは、２つの垂直方向におけるＸ線を移行するように設計される可能性がある。高強度ビームのために、Ｘ線源に対する密結合は、大きな固体取込み角を得るために重要である。単色ビームを得るために、回折素子は、システムのキーとなる部分でなければならない。
【０００４】
多層光学系は単色ビームを自然に照射する。ビーム特性（例えば、空間定義、スペクトル純度及び強度）は、様々な設計で最大限に利用される可能性がある。多層光学系は、Ｘ線を拡散させたり回折したりするための重要なビーム調整光学系である。
【０００５】
多くの分析において、例えば、Ｘ線粉末回折と薄膜分析において、プローブビームは、一方向だけのビームを形成し移行するために定めた、一次元光学系によって典型的に調整されている。これらの光学系は、平面多層光学系、放物線状多層光学系、及び、楕円多層光学系を含む。これらの光学系はシリンダ曲線の輪郭を有し、すなわち、ビーム伝播方向の垂直な方向の曲率は直線であり、ビーム伝播方向の方向における曲率は、直線（平面光学系）、又は、放物状の一部（コリメート光学系）、又は、楕円の一部（集束光学系）のいずれかである。これらの光学系は定型的に非常に効率的であり、高フレックスビームを照射する際に能力がある。
【０００６】
多くの他の用途のために、例えば、小さい分子結晶学及びマクロ分子結晶学（タンパク質結晶学）によって表される単結晶の結晶学において、プローブビームは二次元ビーム、すなわち２つの垂直方向で形成される「鉛筆のような（pencil-like）」ビームでなければならない。同様のビームは、二次元の光学系によって形成される可能性がある。多層二次元の光学系は、二次元のビーム調整に必要な、重要なビーム調整光学系である。これらの光学系は、明確な空間特性と良いスペクトル純度とを有するビームを照射する。
【０００７】
光学系は導波路原理に基づいており、例えば、導波路束光学系は、Ｘ線分光測定法及び選択されたＸ線回折用途で用いられる、ポリキャピラリ光学系によって表される。多層光学系に比較して、導波路束光学系は、非常に大きな取込み角と、それによって、潜在的に非常に高いフラックスと輝度を提供する。導波路束光学系における問題は、事実上、連続スペクトルを有するＸ線を出力し、Ｘ線弾性散乱とＸ線回折に適していない。
【０００８】
小さい試料を分析することに有能であることは、小さく利用できる試料体積から、大きい試料上、又は、得ている十分な信号強度上、の局部な関心を原因として生じるのであるかどうかに非常に重要である。明確なスペクトル及び空間特性を有する高フラックスは、集束多層光学系によってよく照射される。同様の光学系は２つの円筒楕円ミラーから成っており、各ミラーは２つの垂直方向の１つにＸ線を集束し、２つのミラーは、カークパトリック・バエズ幾何学（Kirkpathck-Baez geometry）と呼ばれており、順次、又は、「並列」の配置のいずれも米国特許第６,０４１,０９９号に述べられている。同様の光学系では、また、多層コーティング内部を有する楕円面の部分であり、光学系からの単一の反射体は、２次元においてＸ線を導いている。
【０００９】
さらに、多層集束光学システムの強度を改善することは、源と光学系との間での密結合によって決まる。残念なことに、結合距離は、低い格子面間隔端における構造の物理的に可能な寸法によって制限される。人工階層構造の最小層の厚さは、原子のサイズによって制限される。極めて低い格子面間隔端（例えば、１０オングストローム未満）で、内層の粗さは高く、ピークの反射率は低く、ロッキング曲線は狭い。
【００１０】
それが理解されるように、上述で提案する解決案のいずれも源を有する効率的な結合を議論するものではなく、その一方で、制御可能な、十分なスペクトルを有するビームを提供するものではない。米国特許第６,５０４,９０１号は、Ｘ線集束ミラーに結合する光学システムが提案されている。しかし、提案された解決案は、システムが単色のビームを照射することを証明せず、また、その効率改善を例示していなかった。実際には、特許の説明は、より効率的でなく、実用的に重要性のない光学方式を描く解決案に至るものであった。目的に見られるように、その取込み角によって制限される反射体である第２の光学系と、小さくて、強く、小さな発散の「仮想源」との形態にするためにポリキャピラリ光学系を用いることは、源の効果を得ることができる（すなわち、小さく、より強い、小さい発散で、より高いフラックスを照射することができる）。
【００１１】
しかしながら、我々が知っている物理学の法則においては、運動学的システム（すなわち、エネルギー入力なし）としてのポリキャピラリ光学系の第１の光学系は、仮想源の焦点サイズを拡大することのなく、大きい発散ビームを小さい発散ビームに変換することができない。これは、また、熱力学を光学システムに適用することで例示されることがあり、外部のエネルギー入力がない、絶縁したシステムの、エントロピー、又は焦点サイズと発散によって表される配列は、良くても維持され減少することがない（又は、焦点及び発散に関して改善される）。米国特許第６,５０４,９０１号において説明では、「ポリキャピラリレンズは、Ｘ線源の焦点の直径と、Ｘ線の角度発散とが共に減少するように配置される複数のテーパ状のキャピラリを備える」、同じ輝度の、最良の状態において必然的な結果としてなる、ことが説明されている。従って、システムの効率は、最良の状態において、第２の光学系と源との間で直接結合の効率に等しい。
【００１２】
米国特許第６,５０４,９０１号で提案されるシステムの低い効率は、同様に、幾何学的な方法で例示されている。単一のキャピタリによるＸ線光子伝播のメカニズムは、多数の外部の全反射である。それは入射角が全く小さい範囲で発生し、回折実験のために共通に用いられる波長用の、０．３度以下である。図３で図示するように、コリメート導波路束光学系は、源により間近の距離で小さい断面積を有している。キャピラリの内側で伝播するＸ線光子のために、キャピラリ壁での入射角は、各々の連続的な全反射によって小さくなる。一方、光学系が集束光学系である場合は、反射角は、Ｘ線光子がポリキャピラリ光学系の最も大きい直径を有するポイントに達するまでの最初より小さくなり、そして、Ｘ線光子が最大の直径を有するポイントを通過した後、各々の連続的な反射によって大きくなる。光子が「ボトル形状」の光学系である米国特許第６,５０４,９０１号で提案される光学系の出口に達するとき、キャピラリの直径は光学系の入口よりも小さく、それらのいくつかの部分は、外部の全反射の臨界角よりも大きい入射角を有しており、光学的なシステム効率を減少し、消失する。
【発明の概要】
【００１３】
上記のニーズに満たす際の、関連技術の列挙された欠点と他の制約を解決するためのものとして、本発明は改良されたＸ線発生装置を提供する。Ｘ線発生装置は、Ｘ線照射の源と、前記源により発するＸ線放射を大きな取込み角で集光するポリキャピラリ光学系のような導波路束系光学部品と、前記第１の光学系からのビームを取込み、単色Ｘ線放射を焦点に集束する集束回折光学系と、を含む。
【００１４】
集束ポリキャピラリ光学系のために前述で確認されている問題を回避するため、前記導波路束光学系は、発散ビーム、平行なビーム、又は、僅かな収束ビームを出力する同様の方法で、設計しなければならない。
【００１５】
通常、集束光学系は、横方向に、又は、横と深さ方向に勾配した多層ブラッグＸ線反射面を有するカークパトリック・バエズ並列光学系にすることができる。集束反射体は、放射線、楕円及び双曲線の円筒面にすることができる。集束光学系は、放物面、楕円、双曲線、ドーナツ型の光学系のような、二重湾曲光学系にもすることができ、横方向又は横と深さ方向の勾配した多層ブラッグＸ線反射面を有している。
【００１６】
導波路束光学系と回折光学系との間の結合は、回折光学系の幾何学的焦点が導波路束光学系の又は反対の虚焦点にあるような同様の方法である。導波路束光学系がコリメート光学系である場合は、回折光学系は、その焦点を無限に有している放物面又は双曲線状の光学系である。また、導波路束光学系が発散ビームを照射する場合には、回折光学系は、導波路束光学系により照射された拡散ビームの虚焦点に幾何学的焦点を有する、楕円又は長円の光学系である。また、導波路束光学系が僅かに集束（収束）ビームを照射する場合には、回折光学系は、双曲線と双曲面の光学系である。
【００１７】
本発明によるＸ線システムは、源からのＸ線照射を大きな取込み角で取込み、そのＸ線照射を制御したビームサイズと所望の光線構成における更なる回折素子に導く、Ｘ線源に密接に連結した、導波路束系光学素子を提供することによって前述で説明した従来技術の設計問題を解決する。例えば、平行なビーム構成は、容易に提供することができる。適切な追加的な回折光学系（例えば、前述で言及したカークパトリック・バエズ多層放物線光学系又は放物面光学系）の使用では、相当高い強度を有するビームを得ることができる。
【００１８】
本発明者の更なる目的、特徴及び効果は、以下の説明をレビューした後、この明細書の部分を形成する添付した請求の範囲や図面に関して、当業者に容易に明確になる。
【図面の簡単な説明】
【００１９】
【図１】図１は、導波路束光学系（例えば、ポリキャピラリ光学系及びカークパトリック・バエズ並列多層光学系）を有するＸ線発生装置を示す図である。
【００２０】
【図２】図２は、導波路束光学系（例えば、ポリキャピラリ光学系）及び二重湾曲多層光学系を有するＸ線発生装置を示す図である。
【００２１】
【図３】図３は、図１及び図２の導波路束光学系のより詳細な図を例示する図である。
【発明を実施するための形態】
【００２２】
Ｘ線分析装置１０は、Ｘ線源１２，導波路束光学系（例えば、ポリキャピラリ光学系）１４，集束光学系１６ａ，開口１８，試料２０及びＸ線検出器２２を含む。Ｘ線源１２は、高輝度回転アノードＸ線発生装置又はシールド管マイクロフォーカス源のような、研究ソースであっても良い。Ｘ線源１２は、一般に、電子ビーム集束装置２４と対象２６とを含んでいる。電子ビーム２８は、電子ビーム集束装置２４によって対象２６へ導かれる。
【００２３】
導波路束光学系１４は、入力３０と出力３２とを含む。導波路束光学系の入力３０は、一般に、Ｘ線源１２の焦点から約３ｍｍから１５ｍｍに位置されているが、制限されていない。導波路束光学系１４の入力３０とＸ線源１２との間のこの距離は、焦点距離としてより周知である。一旦、Ｘ線が導波路束光学系１４の入力３０によって入力すると、導波路束光学系１４は、その入力から出力までＸ線を導く。導波路束光学系１４の出力をでるＸ線は、拡散、平行、又は僅かに収束する。
【００２４】
本実施形態における集束光学系１６ａは、米国特許第６,０４１,０９９号に説明されているように、多層ブラッグＸ線反射面３４を有するカークパトリック・バエズ並列光学系であり、本願明細書において引用したものである。ブラッグＸ線反射面３４は、一般的に、横方向の、又は、横と深さ方向の勾配である勾配型格子面間隔を有している。
【００２５】
集束光学系１６ａのブラッグＸ線反射面３４によって入力したＸ線２９は、ブラッグＸ線反射面３４によって焦点３６に反射される。回折光学系のミラーの表面形状は、第１の導波路束光学系のデザインによって依存する。第１の光学系が発散ビームを出力する場合、ミラーの表面は楕円形状を有している。第１の光学系が平行ビームを形成する場合、ミラーの表面は放物線形状を有している。第１の光学系が僅かな集束ビームを出力する場合、ミラーの表面は双曲線形状を有している。何れかの組み合わせにおいても、回折光学系は、光学系のうちの１つの虚焦点が他の光学系の実焦点と一致するような方法で、配置されている。この条件は重大であり、導波路束光学系からすべての光線の回折光学系による受入れを提供する。回折光学系Ｘ線３１によって反射したＸ線は、不必要なＸ線のいずれかを取り除くために、更に開口１８によって定められている。試料２０は、焦点３６に隣接して位置しており、開口１８によって形づくられた反射したＸ線を入力する。試料２０は、生物学的試料、ポリマー、又は、構造が研究の関心である結晶化タンパク質のような何れかの試料であっても良い。試料によって変わるＸ線は、Ｘ線検出器２２によって取り込まれる。
【００２６】
図２を参照して、他のＸ線発生装置１０ｂが示される。Ｘ線発生装置１０ｂは、図１におけるＸ線発生装置１０ａと同様であるが、Ｘ線発生装置１０ｂの集束光学系１６ｂは、Ｘ線発生装置１０ａの集束光学系１６ａとは異なっている。本実施例において、集束光学系１６ｂは、多層ブラッグＸ線反射面を有する、楕円、放物面、又は、双曲面の光学系のような二重湾曲光学系である。更に、反射光学系１６ｂの多層ブラッグ反射面３５は、横方向の勾配、又は、横方向と深さ方向の勾配である勾配型格子面間隔を有している。
【００２７】
図１に示した実施例と同様に、導波路束光学系又はポリキャピラリ光学系の出力３２からの予め調整されたＸ線２４が、回折光学系１６ｂによって反射される。反射したＸ線３１は、焦点３６に集束される。試料２０は焦点３６の近くに位置しており、反射したＸ線３１を入力するよう構成される。その後、検出器２２は、試料２０を通じて進行するＸ線、又は、試料２０によって拡散したＸ線又は回折したＸ線を入力する。
【００２８】
図３を参照して、導波路束光学系（例えば、ポリキャピラリ光学系）のより詳細な説明が示される。Ｘ線２８を発する源１２は、焦点距離としての公知の、距離ｆによって導波路束光学系１４の入力３０から分離されている。前述のように、焦点距離ｆが、一般に、約３ミリメートルから１５ミリメートルの間であるが、この距離は制限されない。
【００２９】
導波路束光学系１４は複数の中空導波管４０を含んでおり、この複数の中空導波管４０は一緒に束にされており、Ｘ線源１２から発生する拡散的なＸ線の効果的な取込みを可能にする構成で、可塑的に成形されている。この例では、取込まれたＸ線２８は、平行なＸ線２９に導波路束光学系１４によって形づくられる。導波路束光学系１４の入力３０に位置するチャンネル口４２は、Ｘ線源１２に向いている。光学系は、発散ビームを出力する図３に示すものよりも短くすることができ、又は、僅かな収束ビームを出力するものよりも長くすることができる。説明した実施例のいずれかにおいて、導波路束光学系１４の入力３０における個々のチャンネル口４２の直径が、出力３２のチャンネル直径よりも小さい。
【００３０】
通常、中空導波管又はポリキャピラリ４０は、数マイクロメートルからミリメートル未満の直径範囲を有したガラスで形成されている。しかしながら、中空ポリキャピラリは、チャンネルの直径がより小さいカーボンナノチューブから形成しても良い。
【００３１】
当業者が容易に理解するよう、上記の説明は、本発明の原理の具現的な例として意味するものである。この説明は、以下の請求項に記載の本発明の精神から逸脱することなく、本発明が修正、バリエーション及び変化に影響されやすいという点で、本発明の範囲又は用途に制限することを目的とするものではない。
【図１】
0005531009.tif 000002
【図２】
0005531009.tif 000003
【図３】
0005531009.tif 000004